(57)【特許請求の範囲】
【請求項１】
パチンコ球を貯留する皿部を有し、該皿部は一端から他側端に向かって底面が緩るやかに下り傾斜すると共に、その下流側に誘導側壁を介して段状に高く形成した球圧受部と、該球圧受部の誘導側壁によって順次幅狭に形成され、パチンコ球を一列に整列して流下させる整流通路が形成されたパチンコ機の打球供給皿において、
前記皿部の下流側端部に球均し板を設け、該球均し板は球圧受部と整流通路の両方の上面を覆うように幅広に形成すると共に、上方へ回動可能に設け、
さらに、球均し板によって覆われる球圧受部の上面に整流通路と連通する凹部を形成したことを特徴とするパチンコ機の打球供給皿。
【請求項２】
パチンコ球を貯留する皿部を有し、該皿部は一端から他側端に向かって底面が緩るやかに下り傾斜すると共に、その下流側に誘導側壁を介して段状に高く形成した球圧受部と、該球圧受部の誘導側壁によって順次幅狭に形成され、パチンコ球を一列に整列して流下させる整流通路が形成されたパチンコ機の打球供給皿において、
前記皿部の下流側端部に球均し板を設け、該球均し板は球圧受部と整流通路の両方の上面を覆うように幅広に形成すると共に、上方へ回動可能に設け、
さらに前記球均し板に前記整流通路のパチンコ球を打球供給装置の供給口へ導く流路変更用ガイドを一体に設けたことを特徴とするパチンコ機の打球供給皿。
【請求項３】
パチンコ球を貯留する皿部を有し、該皿部は一端から他側端に向かって底面が緩るやかに下り傾斜すると共に、その下流側に誘導側壁を介して段状に高く形成した球圧受部と、該球圧受部の誘導側壁によって順次幅狭に形成され、パチンコ球を一列に整列して流下させる整流通路が形成されたパチンコ機の打球供給皿において、
前記皿部の下流側端部に球均し板を設け、該球均し板は球圧受部と整流通路の両方の上面を覆うように幅広に形成すると共に、上方へ回動可能に設け、
さらに前記球均し板によって覆われる球圧受部の上面に整流通路と連通する凹部を形成し、該凹部の底面をアール状に形成すると共に、球均し板の下面を凹部と合致する形状に形成したことを特徴とするパチンコ機の打球供給皿。
【請求項４】
パチンコ球を貯留する皿部を有し、該皿部は一端から他側端に向かって底面が緩るやかに下り傾斜すると共に、その下流側に誘導側壁を介して段状に高く形成した球圧受部と、該球圧受部の誘導側壁によって順次幅狭に形成され、パチンコ球を一列に整列して流下させる整流通路が形成されたパチンコ機の打球供給皿において、
前記皿部の下流側端部に球均し板を設け、該球均し板は球圧受部と整流通路の両方の上面を覆うように幅広に形成すると共に、上方へ回動可能に設け、
さらに、球均し板に係合突起を設け、皿部には係合突起を強制的に嵌合させて球均し板を整流通路の上面位置又は回動位置に拘束する係合部を設けたしたことを特徴とするパチンコ機の打球供給皿。
【請求項５】
前記球均し板に係合突起を設け、皿部には係合突起を強制的に嵌合させて球均し板を整流通路の上面位置又は回動位置に拘束する係合部を設けた請求項１，２又は３記載のパチンコ機の打球供給皿。
【発明の詳細な説明】
【０００１】
【発明の属する技術分野】
本発明は、整流通路を流下するパチンコ球が上下に積み重なるのを防ぐための球均し板を備えたパチンコ機の打球供給皿に関するものである。
【０００２】
【従来の技術】
従来、パチンコ球を一列に整列して流下させる整流通路に球均し板を設け、該球均し板を摺動又は回動させることによって整流通路の終端部分の拭き掃除が容易に行なえるようにしたパチンコ機の球皿構造が知られている（例えば特開平６−２１００５９号公報参照）。
【０００３】
【発明が解決しようとする課題】
上記した従来のパチンコ機の球皿構造は、球均し板と整流通路の終端に設けられた球抜き用のシャッター板を開閉操作する球抜き操作レバーとが連結されており、球抜き操作レバーを球抜き操作することによって球均し板が摺動又は回動されるようになっている。
【０００４】
このため、球均し板を摺動又は回動させるとシャッター板が球皿の装飾カバー内に引込んでしまうため、シャッター板の上面を拭き掃除することができないという問題点があった。特にシャッター板の上面は汚れが付着し易く、しかも整流通路のパチンコ球を打球供給装置の供給口へ導くために最も円滑な流れが要求される部分であり、頻繁に拭き掃除を行う必要がある。
【０００５】
本発明は、上記した問題点に鑑みてなされたもので、その目的とするところは、シャッター板の上面を含む整流通路の終端部分を容易に拭き掃除することができるようなパチンコ機の打球供給皿を提供しようとするものである。
【０００６】
【課題を解決するための手段】
上記目的を達成するために、本発明は、パチンコ球を貯留する皿部を有し、該皿部は一端から他側端に向かって底面が緩るやかに下り傾斜すると共に、その下流側に誘導側壁を介して段状に高く形成した球圧受部と、該球圧受部の誘導側壁によって順次幅狭に形成され、パチンコ球を一列に整列して流下させる整流通路が形成されたパチンコ機の打球供給皿において、前記皿部の下流側端部に球均し板を設け、該球均し板は球圧受部と整流通路の両方の上面を覆うように幅広に形成すると共に、上方へ回動可能に設けたものである。
【０００７】
前記整流通路の終端部分に指や掃除具を差し込み易くするために、球均し板によって覆われる球圧受部の上面に整流通路と連通する凹部を形成するとよい。
【０００８】
また、整流通路のパチンコ球を打球供給装置の供給口へ導く流路変更用ガイドを容易に拭き掃除できるようにするために、球均し板と流路変更用のガイドとを一体に設けるのが好ましい。
【０００９】
さらに、球均し板の下面と球圧受部の上面との間にパチンコ球が噛み込まないようにするために、球圧受部に形成した凹部の底面をアール状に形成し、球均し板の下面を凹部と合致する形状に形成するとよい。
【００１０】
また、同じ目的で球圧受部の上面にパチンコ機前面の下部球皿と連通する球落下孔を開設するようにしてもよい。
【００１１】
さらに球均し板に係合突起を設け、皿部には係合突起を強制的に嵌合させる係合部を設け、係合突起を係合部に嵌合させることにより球均し板を整流通路の上面位置又は回動位置に拘束するようにするのが好ましい。
【００１２】
【発明の実施の形態】
次に、本発明の実施の形態について図面を参照して説明する。図１はパチンコ機の正面図であり、１はパチンコ機の機枠、２は機枠１の前面に開閉自在に装着された前面枠である。該前面枠２は、ほぼ中央に窓孔が設けられた額縁状に形成されており、その窓孔の一側にガラス扉３と前面板４とが開閉自在に装着されている。また、ガラス扉３の後方であり、かつ窓孔の裏面部分には遊技盤５が着脱自在に装着されている。６は前面板４の前面に装着された打球供給皿、７は前面枠２の下部に装着された下部球受皿、８は打球発射用の操作ハンドルである。
【００１３】
図２は打球供給皿６の斜視図、図３はその分解斜視図である。打球供給皿６は図２及び図３に示すように前面板４の前面に取付ける飾りベース９にパチンコ球を貯留する皿部１０と該皿部１０の前面上部を覆う装飾カバー１１とを一体に組付けて構成されている。
【００１４】
しかして、前記皿部１０は、飾りベース９に開設した景品球排出口１２が臨む一端から他側端に向かって底面が緩るやかに下り傾斜すると共に、その下流側に誘導側壁１３を介して段状に高く形成した球圧受部１４と、該球圧受部１４の誘導側壁１３によって順次幅狭に形成されパチンコ球を一列に整列して流下させる整流通路１５が形成されている。この整流通路１５の終端には図４に示すように流路変更用ガイド１６が形成されており、整流通路１５のパチンコ球を飾りベース９の供給口１７から前面板４の裏面側に設けられる図示しない打球供給装置へ導くようにされている。また、整流通路１５の終端底面には球抜口１８が開設されており、該球抜口１８の下方に下部球受皿７と連通する球抜通路１９が設けられている。
【００１５】
前記球抜口１８には、該球抜口１８を開閉するシャッター板２０が横方向へスライド自在に設けられている。また、球抜口１８より前部寄りに位置した皿部１０の上面壁１０ａ部分には透孔２２が開設されており、該透孔２２に球抜釦２１が設けられている。この球抜釦２１は、押圧部２１ａが透孔２２から上方へ突出し、下部側片２１ｂが皿部１０の前面側に位置する中空部内に臨まされ軸２３に軸孔３２を挿通することにより上下方向へ回動自在に軸支されている。
【００１６】
前記球抜釦２１の下方であり、かつ皿部１０の裏面側に位置する中空部内にはＬ字形に屈曲する作動レバー２４が軸部２５を介して回動自在に軸支されており、その下端の縦長孔２６にシャッター板２０のスライドピン２７を係合させている。また、作動レバー２４の屈曲部のほぼ中間に係合ピン２８が突設されており、該係合ピン２８をガイド透孔２９から前面側へ貫通させて球抜釦２１の縦長孔３０に係合させている。また、作動レバー２４にはスプリング３１の一端が接続されており、このスプリング３１の付勢力によってシャッター板２０を常に球抜口１８を閉じる方向に付勢すると共に、球抜釦２１を上方に回動付勢するようになっている。
【００１７】
このため、遊技者が図７鎖線のように球抜釦２１を押すと、作動レバー２４がスプリング３１の付勢力に抗して軸部２５を支点に回動し、その縦長孔２６を介してシャッター板２０のスライドピン２７を横方向へスライドさせる。これによって、シャッター板２０が同図鎖線のように球抜口１８から引込んで球抜口１８を開放し、皿部１０のパチンコ球を球抜通路１９を介して下部球受皿７に流出させて全て抜取ることができる。
【００１８】
しかして、前記皿部１０の下流側には整流通路１５を流下するパチンコ球が上下に積み重なるのを防ぐ球均し板３３が設けられている。この球均し板３３は図４に示すように球圧受部１４と整流通路１５の両方の上面を覆うように幅広に形成されており、これの一端が皿部１０の下流側端部に軸３４を以って上下方向へ回動自在に軸支されている。なお、球均し板３３には作動レバー２４に一端を接続したスプリング３１の他端が接続されており、このスプリング３１の付勢力により球均し板３３を常に下向きに回動付勢して球圧受部１４の上面に接触状に位置させている。
【００１９】
また、球均し板３３の下面にはパチンコ球の流下方向に向かう下り傾斜面を有し、かつ整流通路１５の上面に臨む球均し突部３３ａが形成されており、この球均し突部３３ａの傾斜面によって図７に示すようにパチンコ球が積み重なった状態で流れてきてもその積み重なったパチンコ球を整流通路１５に戻して正しく一列に整列させることができるようになっている。
【００２０】
このように構成された本発明に係るパチンコ機の打球供給皿６は、図６鎖線で示すように球均し板３３を指で上方へ回動することにより整流通路１５の終端部分が開放される。このため、整流通路１５の終端部分の拭き掃除を容易に行うことができる。この際に、シャッター板２０はスライドされることなく球抜口１８を閉じる位置に置かれているため、シャッター板２０の上面も容易に拭き掃除することができる。
【００２１】
なお、この実施の形態の場合、球圧受部１４の側面に凹段部３５が形成され、球均し板３３の下面に凹段部３５に合致する通路壁３６を一体に形成してある。この凹段部３５の形成によって球均し板３３を上方へ回動した際に凹段部３５の形成ぶん整流通路１５の通路幅が広くなって一層拭き掃除が容易にできる。
【００２２】
なお、図８に示す実施の形態は球均し板３３によって覆われる球圧受部１４の上面に整流通路１５と連通する凹部３７を形成したものである。このように球圧受部１４に凹部３７を形成することによって球均し板３３を上方へ回動した際に整流通路１５の終端部分に指や掃除具等を挿入し易くなり拭き掃除が非常に楽に行うことができる。また、図示のように凹部３７の底面をアール状に形成し、球均し板３３の下面を凹部３７と合致する形状に形成することにより、球均し板３３を上方へ回動したときにパチンコ球が凹部３７に入り込んでも球均し板３３を整流通路１５の上面位置に戻すことによりアール状の底面によって自然に整流通路１５に押し出されるため、球均し板３３の下面と凹部３７との間にパチンコ球が噛み込むようなことがなくなる。
【００２３】
また、図９に示す実施の形態は球均し板３３と一体に流路変更用ガイド１６を形成するようにしたものである。このように構成することにより流路変更用ガイド１６の拭き掃除が容易に行える。
【００２４】
さらに図１０に示す実施の形態は、球圧受部１４の上面に球抜通路１９を介して下部球受皿７に連通する球落下孔３８を形成したものである。この実施の形態の場合、球均し板３３の下面と凹部３７との間にパチンコ球が入り込んでも球落下孔３８に落下して下部球受皿７に排出されることになるため、球均し板３３の下面にパチンコ球が噛み込むような事態を防ぐことができる。
【００２５】
また、図１１に示す実施の形態は、球均し板３３に係合突起３９を設け、皿部１０の裏面側に位置する中空部内に係合突起３９を強制的に嵌合させる係合部４０，４１を設け、この係合突起３９と係合部４０，４１との係合によって球均し板３３を図１２実線で示す整流通路１５の上面位置と同図鎖線で示す回動位置に拘束し得るようにしたものである。このように構成することにより、皿部１０に貯留されるパチンコ球の球圧によって球均し板３３が無用に上方へ回動するのを防ぐことができると共に、球均し板３３を上方へ回動したまゝの状態に拘束することができるため、拭き掃除を一層楽に行うことができるようになる。
【００２６】
【発明の効果】
以上説明したように本発明に係るパチンコ機の打球供給皿は、皿部の球抜口を開閉するシャッター板を含む整流通路の終端部分を容易に抜き掃除することができる。
【図面の簡単な説明】
【図１】パチンコ機の正面図である。
【図２】打球供給皿の斜視図である。
【図３】図２の分解斜視図である。
【図４】打球供給皿の要部斜視図である。
【図５】球均し板を上方へ回動した状態の打球供給皿の要部斜視図である。
【図６】打球供給皿の要部正面図である。
【図７】球抜き時の作用説明図である。
【図８】球圧受部の上面に凹部を形成した他の実施の形態の要部斜視図である。
【図９】球均し板に流路変更用ガイドを一体に設けた他の実施の形態の要部斜視図である。
【図１０】球圧受部に球落下孔を開設した他の実施の形態の要部斜視図である。
【図１１】球均し板に係合突起を設け、皿部に係合部を設けた他の実施の形態の斜視図である。
【図１２】図１１の正面図である。
【符号の説明】
６          打球供給皿
７          下部球受皿
１０        皿部
１３        誘導側壁
１４        球圧受部
１５        整流通路
１６        流路変更用ガイド
３３        球均し板
３７        凹部
３８        球落下孔
３９        係合突起
４０，４１  係合部
【図１】
0004130851.tif 000002
【図２】
0004130851.tif 000003
【図３】
0004130851.tif 000004
【図４】
0004130851.tif 000005
【図５】
0004130851.tif 000006
【図６】
0004130851.tif 000007
【図７】
0004130851.tif 000008
【図８】
0004130851.tif 000009
【図９】
0004130851.tif 000010
【図１０】
0004130851.tif 000011
【図１１】
0004130851.tif 000012
【図１２】
0004130851.tif 000013